(57)【要約】      （修正有）【課題】修理の利便性がよく、操作が簡単であり、コストが多くかからず、前面または後面から修理できるように取り付けることができるＬＥＤ表示装置を提供する。【解決手段】ＬＥＤ表示装置は、取り付け用立柱１１０、第一固定板１２０、ボックスモジュール１３０、ＬＥＤ表示パネルモジュール１４０および第一連結部品を含み、ボックスモジュールは表示用の正面と正面の反対側の後方とを含み、取り付け用立柱はボックスモジュールの後方に取り付けられ、第一固定板は取り付け用立柱に密着に接しており、第一固定板には第一固定孔が形成され、第一連結部品はボックスモジュールの後方から第一固定孔に挿入されるとともにボックスモジュールに結合され、取り付け用立柱は第一固定板とボックスモジュールとの間に固定され、ボックスモジュールは第一固定板と第一連結部品によって取り付け用立柱上に取り付けられ、ＬＥＤ表示パネルモジュールはボックスモジュールの正面に取り付けられる。【選択図】図１
0003212148.tif 000002
【実用新案登録請求の範囲】
【請求項１】
ＬＥＤ表示装置であって、取り付け用立柱、第一固定板、ボックスモジュール、ＬＥＤ表示パネルモジュールおよび第一連結部品を含み、前記ボックスモジュールは表示用の正面と該正面の反対側の後方とを含み、前記取り付け用立柱は前記ボックスモジュールの後方に取り付けられ、前記第一固定板は前記取り付け用立柱と密着に接し、前記第一固定板には第一固定孔が形成されており、前記第一連結部品は前記ボックスモジュールの後方から前記第一固定孔に挿入されるとともに前記ボックスモジュールに結合され、前記取り付け用立柱は前記第一固定板と前記ボックスモジュールとの間に固定され、前記ボックスモジュールは前記第一固定板と前記第一連結部品によって前記取り付け用立柱上に取り付けられ、前記ＬＥＤ表示パネルモジュールは前記ボックスモジュールの正面に取り付けられることを特徴とするＬＥＤ表示装置。
【請求項２】
前記ボックスモジュールはボックスを含み、該ボックスには取り付け用孔が形成されており、前記第一連結部品が前記ボックスモジュールの後方から前記第一固定孔と前記取り付け用孔内に順に挿入されることにより、前記第一固定板は前記ボックスモジュール上に取り付けられることを特徴とする請求項１に記載のＬＥＤ表示装置。
【請求項３】
前記ボックスモジュールは複数個の前記ボックスを含み、複数個の前記ボックスは一表面上にラティス状に配列され、前記第一固定板には４個の第一固定孔が形成されており、前記ボックスの４個の隅部には前記取り付け用孔がそれぞれ形成されており、４個のボックスが隣接する位置において、第一固定板の４個の第一固定孔はそれぞれ、該４個のボックスの集まっている４個の隅部に位置する取り付け用孔と対応し、前記第一連結部品により４個の前記ボックスを固定することを特徴とする請求項２に記載のＬＥＤ表示装置。
【請求項４】
前記ボックスモジュールは、ボックス、第二固定板および第二連結部品を含み、前記ボックスには取り付け用孔が形成され、前記第二固定板には第二固定孔が形成されており、前記第二固定板は前記ボックスモジュールの後方に位置するとともに前記取り付け用立柱と前記ボックスとの間に位置し、前記第二連結部品が前記ボックスモジュールの正面から前記取り付け用孔と前記第二固定孔に順に挿入されることにより、前記第二固定板は前記ボックス上に固定されることを特徴とする請求項１に記載のＬＥＤ表示装置。
【請求項５】
前記第二固定板には第三固定孔が更に形成され、前記第一連結部品が前記ボックスモジュールの後方から前記第一固定孔と前記第三固定孔に順に挿入されることにより、前記第一固定板と前記ボックスモジュールを結合させることを特徴とする請求項４に記載のＬＥＤ表示装置。
【請求項６】
前記ボックスモジュールは複数個の前記ボックスを含み、複数個の前記ボックスは一表面上にラティス状に配列され、前記第二固定板には４個の前記第二固定孔が形成されており、４個の前記ボックスが隣接する位置において、４個の前記第二固定孔はそれぞれ、該４個の前記ボックスの集まっている４個の隅部に位置する前記取り付け用孔と対応し、前記第二連結部品により４個の前記ボックスが固定されることを特徴とする請求項４に記載のＬＥＤ表示装置。
【請求項７】
前記ボックスは、外枠、条部、電源取り付け部および電線槽を含み、前記外枠は両側の側部外枠と両端の端部外枠を含み、前記条部は垂直である縦方向の条部と横方向の条部を含み、前記条部はいずれも前記外枠の一側に垂直に接続され、前記電源取り付け部は前記ボックスの一端に位置しており、電源取り付け部には凹部が形成されており、該凹部内には電源装置が取り付けられ、前記電線槽は縦方向の電線槽と横方向の電線槽を含み、前記縦方向の電線槽は前記横方向の条部に接続されて固定され、その一端は前記凹部に連通し、他端は前記ボックスの電源取り付け部の反対側の端部外枠に連通しており、前記横方向の電線槽は縦方向の条部に接続されて固定され、両側の２つの側部外枠の間で貫通しており、前記縦方向の電線槽と横方向の電線槽は前記ボックスのフレーム構造内において互いに垂直に交差しており、交差の位置には通路が形成されていることを特徴とする請求項２ないし６のうちいずれか一項に記載のＬＥＤ表示装置。
【請求項８】
前記縦方向の条部と前記縦方向の電線槽は平行でありかつ交替しながら配置されており、前記横方向の条部と前記横方向の電線槽は平行でありかつ交替しながら配置されており、前記縦方向の電線槽はいずれも前記凹部と貫通していることを特徴とする請求項７に記載のＬＥＤ表示装置。
【請求項９】
すべての前記条部は外枠と垂直である一平面に位置しており、前記電線槽は前記外枠の同じ側へ突出しているが、前記条部の位置している前記平面からは突出していないことを特徴とする請求項７に記載のＬＥＤ表示装置。
【請求項１０】
前記条部と前記電線槽にはチョウ状槽と位置決め孔が形成されており、前記ＬＥＤ表示パネルモジュールにはチョウ状ロックが形成されており、前記ＬＥＤ表示パネルモジュールは前記チョウ状ロックと前記チョウ状槽の係合により前記ボックス上に固定されることを特徴とする請求項７に記載のＬＥＤ表示装置。
【考案の詳細な説明】
【技術分野】
【０００１】
本考案は、表示装置に関し、特にＬＥＤ表示装置に関するものである。
【背景技術】
【０００２】
ＬＥＤ表示装置の迅速な発展により、色々な新型表示装置が販売されており、色々な店では表示パネルにより店の情報を表示する傾向がある。店では実際の需要により表示パネルは、例えば壁、頂上など様々な場所に取り付けられる。従来の表示パネルは通常、鉄製フレームを採用する取り付け方法、例えば二重式吊りビームを採用する取り付け方法により固定される。しかしながら、このような取り付け方法は、修理の利便性がよくないという欠点を有している。狭いスペースにおいて、その欠点は一層顕著になるおそれがある。
【考案の概要】
【考案が解決しようとする課題】
【０００３】
従来のＬＥＤ表示パネルの修理の利便性がよくない問題を解決するため、修理の利便性がよいＬＥＤ表示装置を提供する必要がある。
【課題を解決するための手段】
【０００４】
ＬＥＤ表示装置であって、取り付け用立柱、第一固定板、ボックスモジュール、ＬＥＤ表示パネルモジュールおよび第一連結部品を含み、前記ボックスモジュールは表示用の正面と該正面の反対側の後方とを含み、前記取り付け用立柱は前記ボックスモジュールの後方に取り付けられ、前記第一固定板は前記取り付け用立柱上と密着に接し、前記第一固定板には第一固定孔が形成されており、前記第一連結部品は前記ボックスモジュールの後方から前記第一固定孔に挿入されるとともに前記ボックスモジュールに結合され、前記取り付け用立柱は前記第一固定板と前記ボックスモジュールとの間に固定され、前記ボックスモジュールは前記第一固定板と前記第一連結部品によって前記取り付け用立柱上に取り付けられ、前記ＬＥＤ表示パネルモジュールは前記ボックスモジュールの正面に取り付けられる。
【０００５】
本考案の実施例において、前記ボックスモジュールはボックスを含み、該ボックスには取り付け用孔が形成されており、前記第一連結部品が前記ボックスモジュールの後方から前記第一固定孔と前記取り付け用孔内に順に挿入されることにより、前記第一固定板は前記ボックスモジュール上に取り付けられる。
【０００６】
本考案の実施例において、前記ボックスモジュールは複数個の前記ボックスを含み、複数個の前記ボックスは一表面上にラティス状に配列され、前記第一固定板には４個の第一固定孔が形成されており、前記ボックスの４個の隅部には前記取り付け用孔がそれぞれ形成されており、４個のボックスが隣接する位置において、第一固定板の４個の第一固定孔はそれぞれ、該４個のボックスの集まっている４個の隅部に位置する取り付け用孔と対応し、前記第一連結部品により４個の前記ボックスが固定される。
【０００７】
本考案の実施例において、前記ボックスモジュールは、ボックス、第二固定板および第二連結部品を含み、前記ボックス上には取り付け用孔が形成され、前記第二固定板には第二固定孔が形成されており、前記第二固定板は前記ボックスモジュールの後方に位置するとともに前記取り付け用立柱と前記ボックスとの間に位置し、前記第二連結部品が前記ボックスモジュールの正面から前記取り付け用孔と前記第二固定孔に順に挿入されることにより、前記第二固定板は前記ボックス上に固定される。
【０００８】
本考案の実施例において、前記第二固定板には第三固定孔が更に形成され、前記第一連結部品が前記ボックスモジュールの後方から前記第一固定孔と前記第三固定孔に順に挿入されることにより、前記第一固定板と前記ボックスモジュールを結合させる。
【０００９】
本考案の実施例において、前記ボックスモジュールは複数個の前記ボックスを含み、複数個の前記ボックスは一表面上にラティス状に配列され、前記第二固定板には４個の前記第二固定孔が形成されており、４個の前記ボックスが隣接する位置において、４個の前記第二固定孔はそれぞれ、該４個の前記ボックスの集まっている４個の隅部に位置する前記取り付け用孔と対応し、前記第二連結部品により４個の前記ボックスが固定される。
【００１０】
本考案の実施例において、前記ボックスは、外枠、条部、電源取り付け部および電線槽を含み、前記外枠は両側の側部外枠と両端の端部外枠を含み、前記条部は垂直である縦方向の条部と横方向の条部を含み、前記条部はいずれも前記外枠の一側に垂直に接続される。前記電源取り付け部は前記ボックスの一端に位置しており、電源取り付け部には凹部が形成されており、該凹部内には電源装置が取り付けられる。前記電線槽は縦方向の電線槽と横方向の電線槽を含み、前記縦方向の電線槽は前記横方向の条部に接続されて固定され、その一端は前記凹部に連通し、他端は前記ボックスの電源取り付け部の反対側の端部外枠に連通しており、前記横方向の電線槽は縦方向の条部に接続されて固定され、両側の２つの側部外枠の間で貫通しており、前記縦方向の電線槽と横方向の電線槽は前記ボックスのフレーム構造内において互いに垂直に交差しており、交差の位置には通路が形成されている。
【００１１】
本考案の実施例において、前記縦方向の条部と前記縦方向の電線槽は平行でありかつ交替しながら配置されており、前記横方向の条部と前記横方向の電線槽は平行でありかつ交替しながら配置されており、前記縦方向の電線槽はいずれも前記凹部と貫通している。
【００１２】
本考案の実施例において、すべての前記条部は外枠と垂直である一平面に位置しており、前記電線槽は前記外枠の同じ側へ突出しているが、前記条部が位置している前記平面から突出していない。
【００１３】
本考案の実施例において、前記条部と前記電線槽にはチョウ状槽と位置決め孔が形成されており、前記ＬＥＤ表示パネルモジュールにはチョウ状ロックが形成されており、前記ＬＥＤ表示パネルモジュールは前記チョウ状ロックと前記チョウ状槽の係合により前記ボックス上に固定される。
【考案の効果】
【００１４】
本考案のＬＥＤ表示装置は、取り付け用立柱、第一固定板、ボックスモジュール、ＬＥＤ表示パネルモジュールおよび第一連結部品を含み、前記ボックスモジュールは表示用の正面と該正面の反対側の後方とを含み、前記取り付け用立柱は前記ボックスモジュールの後方に取り付けられ、前記第一固定板は前記取り付け用立柱上に密着に接し、前記第一固定板には第一固定孔が形成されており、前記第一連結部品は前記ボックスモジュールの後方から前記第一固定孔に挿入されるとともに前記ボックスモジュールに結合され、前記取り付け用立柱は前記第一固定板と前記ボックスモジュールとの間に固定され、前記ボックスモジュールは前記第一固定板と前記第一連結部品によって前記取り付け用立柱上に取り付けられ、前記ＬＥＤ表示パネルモジュールは前記ボックスモジュールの正面に取り付けられる。前記ＬＥＤ表示装置は、修理の利便性がよく、操作が簡単であり、コストが多くかからず、前面または後面から修理することができるという利点を有している。
【図面の簡単な説明】
【００１５】
【図１】本考案の実施例一のＬＥＤ表示装置の構造を示す図である。
【図２】図１のＬＥＤ表示装置のＩ区域を示す拡大図である。
【図３】図１のＬＥＤ表示装置のボックスの構造を示す図である。
【図４】図１のＬＥＤ表示装置のボックスにおいて、Ａ−Ａ線の断面の構造を示す図である。
【図５】図１のＬＥＤ表示装置のＬＥＤ表示パネルモジュールの構造を示す図である。
【図６】図１のＬＥＤ表示装置の平面展開構造を示す図である。
【図７】図１のＬＥＤ表示装置の電源装置の構造を示す図である。
【図８】図１のＬＥＤ表示装置の電源の構造を示す図である。
【図９】本考案の他の実施例のＬＥＤ表示装置の構造を示す図である。
【図１０】図９のＬＥＤ表示装置のＩＩ区域を示す拡大図である。
【考案を実施するための形態】
【００１６】
本考案をより詳細に理解してもらうため、以下、図面により本考案の具体的な実施例をより詳細に説明する。図面には本考案の好適な実施例が示されているが、本考案はそれらと異なる他の実施形態によって実施することもでき、下記実施例の構成にのみ限定されるものではない。下記実施例を示す目的は、本考案の技術的事項をより詳細に理解してもらうことにある。
【００１７】
特別な説明がない限り、本明細書に記載されている技術用語と科学用語は本考案の技術分野の技術者が常用する用語の意味を持つものとする。本考案の明細書に記載されている用語は本考案の具体的な実施例を説明するためのものであり、本考案を限定する意図はない。本考案中の「及び／或いは」と言う用語は、一個または複数個の関連事項のあらゆる組合せを意味する。
【００１８】
図１と図２に示すとおり、実施例一のＬＥＤ表示装置１００は、取り付け用立柱１１０、第一固定板１２０、ボックスモジュール１３０、ＬＥＤ表示パネルモジュール１４０および第一連結部品１５０を含む。
【００１９】
ボックスモジュール１３０は表示の正面と該正面の反対側の後方とを含む。取り付け用立柱１１０はボックスモジュール１３０の後方に取り付けられ、第一固定板１２０は取り付け用立柱１１０と密着に接している。第一固定板１２０には第一固定孔１２１が形成されており、第一連結部品１５０はボックスモジュール１３０の後方から第一固定孔１２１内に挿入されるとともにボックスモジュール１３０に結合される。これにより、取り付け用立柱１１０は第一固定板１２０とボックスモジュール１３０との間に固定され、ボックスモジュール１３０は第一固定板１２０と第一連結部品１５０によって取り付け用立柱１１０上に取り付けられ、ＬＥＤ表示パネルモジュール１４０はボックスモジュール１３０の正面に取り付けられる。
【００２０】
ボックスモジュール１３０はボックス１３を含む。ボックス１３上には取り付け用孔１３１が形成されている。第一連結部品１５０がボックスモジュール１３０の後方から第一固定孔１２１と取り付け用孔１３１内に順に挿入されることにより、第一固定板１２０はボックスモジュール１３０上に取り付けられる。
【００２１】
本考案の一実施例において、前記ボックスモジュール１３０は複数個のボックス１３を含み、複数個のボックス１３は一表面上にラティス状に配列される。前記第一固定板１２０には４個の第一固定孔１２１が形成されている。前記ボックス１３の４個の隅部には取り付け用孔１３１がそれぞれ形成されており、４個のボックス１３が隣接する位置において、第一固定板１２０の４個の第一固定孔１２１はそれぞれ、該４個のボックス１３の集まっている４個の隅部に位置する取り付け用孔１３１と対応し、前記第一連結部品１５０により４個の前記ボックス１３が固定される。すなわち、第一固定板１２０により４個の前記ボックス１３を固定し、かつ該４個のボックス１３の集まっている４個の隅部に位置する取り付け用孔１３１に第一連結部品１５０を取り付けることにより、複数個のボックス１３を取り付け用立柱１１０に取り付けて固定し、複数個の表示パネルモジュール１４０を容易に組み立てたり接続個数を制限なく増加させたりすることができる。また、ボックスモジュール１３０を修理するとき、所定のボックス１３のみを取り外せばよい。すなわち、すべてのボックス１３を取り外す必要がないので、柔軟性が高く、修理の利便性がよく、コストが安いという利点を有している。ＬＥＤ表示装置１００の辺縁において、第一固定板１２０の２個の第一固定孔１２１はそれぞれ、該２個の前記ボックス１３の集まっている２個の隅部に位置する取り付け用孔１３１と対応し、前記第一連結部品１５０で２個の前記ボックス１３を固定する。ＬＥＤ表示装置１００の４個の隅部において、第一固定板１２０の第一固定孔１２１は１個のみの前記ボックスモジュール１３０の取り付け用孔１３１と対応し、前記第一連結部品１５０により前記ボックス１３を固定する。
【００２２】
前記取り付け用立柱１１０は四角形の鋼材である。前記取り付け用立柱１１０は隣接の２個のボックス１３の２個の取り付け用孔１３１の間の箇所に接触していることにより、複数個のボックス１３を取り付け用立柱１１０に固定することができる。取り付け用立柱１１０の数量は複数個であってもよく、１個の取り付け用立柱１１０を固定する第一固定板１２０の数量も複数個であってもよい。これによりボックス１３をより安定に固定することができる。前記四角形の鋼材はボックス１３と合う所定の外形を有しているので、第一連結部品１５０により第一固定板１２０とボックス１３を取り付け用立柱１１０上に容易に固定することができる。鋼材は値段が安く、機械的強度がよいという利点を有している。前記取り付け用立柱１１０は鉄製フレーム、セメント柱体または他のフレームであることができる。
【００２３】
具体的に、前記第一連結部品１５０はボルト１５１とスペーサー１５２を含む。ボルト１５１とスペーサー１５２により第一固定板１２０とボックス１３を取り付け用立柱１１０上に固定することができ、使用が簡単であり、実用性がよい。
【００２４】
前記ＬＥＤ表示装置１００を組み立てるとき、取り付け用立柱１１０をボックスモジュール１３０の後方に位置させ、第一固定板１２０を取り付け用立柱１１０に面接触させる。次に、第一連結部品１５０を第一固定板１２０とボックス１３に挿入させることにより、ボックス１３を取り付け用立柱１１０に固定する。ＬＥＤ表示装置１００を修理するとき、ボックスモジュール１３０の後方から必要なボックス１３のみを取り外して修理することができる。すなわち、本考案は、修理の利便性がよい構造を有しており、天井などに容易に取り付けることができ、修理の利便性がよく、修理の操作が簡単であり、コストが安いという利点を有している。
【００２５】
図３に示すとおり、前記ボックス１３は、フレーム構造を有しており、外枠１３２、条部１３３、電線槽１３４および電源取り付け部１３５を含む。外枠１３２は両側の側部外枠１３２１と両端の端部外枠１３２２を含む。前記条部１３３はいずれも外枠１３２の一側に略垂直に接続され、すべての条部１３３は辺縁部１３２と垂直である一平面に位置している。具体的に、前記条部１３３は、互いに垂直である縦方向の条部１３３１と横方向の条部１３３２を含む。電源取り付け部１３５はボックス１３の一端に位置しており、電源取り付け部１３５には凹部１３５１が形成されており、該凹部１３５１内には電源装置が取り付けられる。
【００２６】
前記電線槽１３４は縦方向の電線槽１３４１と横方向の電線槽１３４２を含む。前記縦方向の電線槽１３４１は横方向の条部１３３２に接続されて固定され、その一端は前記凹部１３５１に連通し、他端は前記ボックス１３の電源取り付け部１３５の反対側の端部外枠１３２２に連通している。前記横方向の電線槽１３４２は、縦方向の条部１３３１に接続されて固定され、両側の２つの側部外枠１３２１の間に位置している。
【００２７】
前記縦方向の電線槽１３４１と横方向の電線槽１３４２は前記ボックス１３のフレーム構造内において互いに垂直に交差しており、交差の位置には通路が形成されている。前記電線槽１３４は予め条部１３３と交差しながら接続されていることにより、配線をするとき電線を電線槽１３４内に配線し、配線が簡潔にできる。前記凹部１３５１に電源装置が取り付けられ、前記凹部と前記電線槽１３４によりフレームが形成されるので、構造が簡単である。また、修理をするとき、ＬＥＤ表示パネルモジュール１４０を直接取り外して配線を修理することができるので、修理の利便性がよいという利点を有している。
【００２８】
具体的な一実施例において、縦方向の条部１３３１と縦方向の電線槽１３４１は平行でありかつ交替しながら配置されており、横方向の条部１３３２と横方向の電線槽１３４２は平行でありかつ交替しながら配置されており、縦方向の電線槽１３４１はいずれも凹部１３５１と貫通している。このような構造により、ＬＥＤ表示パネルモジュール１４０を組み立てることができ、かつＬＥＤ表示パネルモジュール１４０の配線をきれいにすることができる。
【００２９】
具体的な一実施例において、電線槽１３４は外枠１３２の同じ側へ突出しているが、前記条部が位置している前記平面から突出していない。これにより、ボックス１３の外枠１３２の一側は平面になっており、ＬＥＤ表示パネルモジュール１４０を容易に配置することができる。
【００３０】
前記条部１３３と電線槽１３４はいずれも一本或いは複数本である。具体的に、本実施例において、縦方向の条部１３３１と横方向の条部１３３２はそれぞれ２本であり、これらによって形成された交差状のフレームはボックス１３を支持・固定することができる。前記縦方向の電線槽１３４１は３本であり、前記横方向の電線槽１３４２は２本である。前記ボックス１３は、配線がきちんとしており、組立てと修理が簡単であり、組み立てるときボルトを使う必要がなく、修理をするときボルトを着脱する必要がないという利点を有している。電線は電線槽１３４を通って凹部１３５１内の電源装置に接続される。ボックス１３にＬＥＤ表示パネルモジュール１４０を取り付けた後、電線槽１３４内の電線が風、陽光などの影響を受けることを防止することができ、かつ配線がきちんとしており、配線が簡単であるという利点を有しているので、ボックス１３を室外に取り付けることができる。
【００３１】
前記条部１３３と電線槽１３４にはチョウ状槽１３６と位置決め孔１３７が形成されており、これらによりＬＥＤ表示パネルモジュール１４０を固定することができる。修理をするとき、ＬＥＤ表示パネルモジュール１４０を直接取り外して配線を点検・修理することができるので、簡単であり利便性がよい。端部外枠１３２２または横方向の条部１３３２と縦方向の電線槽１３４１または縦方向の条部１３３１が交差する位置に形成されているチョウ状槽１３６と位置決め孔１３７により、ＬＥＤ表示パネルモジュール１４０の上部と下部を固定することができる。前記横方向の条部１３３２に形成されている２列のチョウ状槽１３６により、隣接する２個のＬＥＤ表示パネルモジュール１４０を固定することができる。前記横方向の電線槽１３４２と側部外枠１３２１とが交差する位置、前記横方向の電線槽１３４２と縦方向の条部１３３１とが交差する位置、及び前記横方向の電線槽１３４２と縦方向の電線槽１３４１とが交差する位置に形成されているチョウ状槽１３６と位置決め孔１３７により、ＬＥＤ表示パネルモジュール１４０の中部を固定することができる。このような構造により複数個のＬＥＤ表示パネルモジュール１４０をボックス１３上に取り付けることができる。
【００３２】
図４に示すとおり、ボックス１３は、電源入力口１３８、電源出力口１３９、データ入力口１３１０およびデータ出力口１３１１を含み、これらは縦方向の電線槽１３４１に連通した凹部１３５１の側壁に位置している。電源入力口１３８を交流電気に接続させることにより交流電気を利用することができる。電源出力口１３９を外部設備、例えば表示パネルなどに接続させることにより外部設備に給電をすることができる。データ入力口１３１０をデータ入力電線に接続させ、データ入力電線により表示用データを伝送することができる。データ出力口１３１１を外部設備に接続させ、伝送されたデータを外部設備に表示させることができる。
【００３３】
本考案はＬＥＤ表示パネルを更に提供する。前記ＬＥＤ表示パネルは前記ボックス１３とボックス１３に取り付けられる表示モジュールとを含む。前記ボックス１３は、配線が簡素であり、組立てと修理が簡単であり、組み立てるときボルトを使う必要がなく、修理をするときボルトを着脱する必要がないという利点を有している。
【００３４】
表示モジュールはＬＥＤ表示パネルモジュール１４０を含む。図５に示すとおり、ＬＥＤ表示パネルモジュール１４０は、端部外枠１３２２または横方向の条部１３３２と、縦方向の電線槽１３４１または縦方向の条部１３３１とによって形成されるフレームに取り付けられ、隣接する２個のＬＥＤ表示パネルモジュール１４０は前記横方向の条部１３３２のチョウ状槽１３６に取り付けられる。ＬＥＤ表示パネルモジュール１４０の中部は、横方向の電線槽１３４２と縦方向の電線槽１３４１とが交差する位置、横方向の電線槽１３４２と縦方向の条部１３３１とが交差する位置、及び横方向の電線槽１３４２と側部外枠１３２１とが交差する位置に形成されているチョウ状槽１３６で取り付けられる。このような構造により、ＬＥＤ表示パネルモジュール１４０をボックス１３上に容易に取り付けることができる。
【００３５】
前記条部１３３と前記電線槽１３４にチョウ状槽１３６と位置決め孔１３７が形成されている場合、ＬＥＤ表示パネルモジュール１４０にはチョウ状ロック１４１が形成されている。チョウ状ロック１４１はＬＥＤ表示パネルモジュール１４０の外枠の上部、中部、下部に形成されている。チョウ状ロック１４１とボックス１３のチョウ状槽１３６の係合により、ＬＥＤ表示パネルモジュール１４０をボックス１３上に固定することができる。修理をするとき、ＬＥＤ表示パネルモジュール１４０を直接取り外して配線を点検・修理することができるので、利便性がよい。具体的に、本実施例において、チョウ状ロック１４１の数量は６個であり、これらはＬＥＤ表示パネルモジュール１４０の背面の外枠の上部、中部、下部に２個ずつ形成されている。
【００３６】
図６に示すとおり、表示モジュールは、電源装置１６０、ＨＵＢ基板（ハブ基板）１７０およびフィルター１８０を含む。電源装置１６０は凹部１３５１内に取り付けられる。ＨＵＢ基板（ハブ基板）１７０およびフィルター１８０はいずれも電源ボックス１６２内に取り付けられる。前記ＨＵＢ基板１７０がＬＥＤ表示パネルモジュール１４０に接続されることにより、制御カードのエクステンドをする。フィルター１８０が電源装置１６０に接続されることにより、電波障害を抑制し、安定な電源信号を獲得することができる。すなわち、強い電波障害を抑制することにより、室外の無線電波の正常な作動に影響を与えることを防止することができる。
【００３７】
図７に示すとおり、電源装置１６０は電源１６１と電源ボックス１６２を含み、電源１６１を電源ボックス１６２内に取り付けることにより、安全性と美観性を確保することができる。電源ボックス１６２は開閉可能な蓋１６２１を含む。電源１６１の数量は複数個であり、これに応じて、前記電源ボックス１６２の蓋１６２１の数量も複数個である。具体的な実施例において、電源ボックス１６２は蓋１６２１を３個含み、これらはそれぞれ１個の電源１６１を覆うように配置されている。注意されたいことは、電源１６１の数量は３個に限定されるものでなく、１個或いは複数個であることができる。これに応じて、蓋１６２１の数量も１個或いは複数個であってよい。前記電源ボックス１６２に従来のように共通の１板状蓋を採用するとしたら、縦方向の条部において電源ボックスに近接する部分により蓋の開閉が妨害されるので、蓋を開閉することができなくなる。本考案においては、前記電源ボックス１６２の蓋１６２１は別々に存在し、電源１６１の数量と対応しているので、縦方向の条部１３３１に妨害されず、美観性と実用性が向上する。
【００３８】
電源ボックス１６２の、ＬＥＤ表示パネルモジュール１４０に向かう側面には電線挿入孔１６２２が形成され電線槽１３４と連通している。電線挿入孔１６２２の数量が電源１６１の数量と対応することにより、電線槽１３４内の電線を電源１６１に容易に接続させることができる。電源ボックス１６２の後部蓋には複数個の放熱口が形成されており、これにより電源１６１などの装置の放熱性を向上させることができる。
【００３９】
図８に示すとおり、電源１６１に当接部１６１１が形成されており、当接部１６１１の一端は電源１６１の端部に接続され、他端は電源ボックス１６２に固定される。具体的に、本実施例において、電源１６１の両端に当接部１６１１がそれぞれ形成されており、これらはネジ１６１２によって電源ボックス１６２に固定される。修理をするとき、ネジ１６１２を緩めることにより電源１６１を取り外すことができるので、修理の時間を節約することができる。
【００４０】
前記ＬＥＤ表示パネルを組み立てるとき、表示モジュールをボックス１３上に取り付けた後、データボックス内の電線をボックス１３の側面から電線槽１３４内に挿入し、かつ電源ボックス１６２の電線挿入孔１６２２から電源ボックス１６２に挿入して電源１６１に接続させる。これにより、電線槽１３４内の電線が風、陽光などの影響を受けることを防止することができ、かつ配線がきちんとしており、配線が簡単であるという利点を有しているので、ボックス１３を室外に取り付けることができる。
【００４１】
前記ＬＥＤ表示パネルモジュール１４０にはチョウ状ロック１４１が形成されており、チョウ状ロック１４１とチョウ状槽１３６の係合により、ＬＥＤ表示パネルモジュール１４０をボックス１３上に固定することができる。ＬＥＤ表示パネルモジュール１４０をボックス１３の前部から取り外すことができるので、修理の利便性がよい。すなわち、ボックス１３を取り外してからＬＥＤ表示パネルモジュール１４０を取り外す必要がないので、修理のコストを低減することができる。
【００４２】
図９と図１０を参照すると、他の実施例のＬＥＤ表示装置２００は、取り付け用立柱２１０、第一固定板２２０、ボックスモジュール２３０、ＬＥＤ表示パネルモジュール２４０および第一連結部品２５０を含む。取り付け用立柱２１０はボックスモジュール２３０の後方に取り付けられ、第一固定板２２０は取り付け用立柱２１０と密着に接している。第一固定板２２０には第一固定孔２２１が形成され、ボックスモジュール２３０上には取り付け用孔２３１が形成されている。
【００４３】
ボックスモジュール２３０はボックス２３を含む。具体的に、ボックス２３上には取り付け用孔２３１が形成され、ボックスモジュール２３０は複数個のボックス２３を含む。
【００４４】
本実施例のＬＥＤ表示装置２００と実施例一の前記ＬＥＤ表示装置１００の相違点は、ボックスモジュール２３０は第二固定板２６０と第二連結部品２７０を更に含み、第二固定板２６０には第二固定孔２６１が形成され、前記第二固定板２６０はボックスモジュール２３０の後方に位置するとともに前記取り付け用立柱２１０とボックス２３との間に位置することにある。第二連結部品２７０がボックスモジュール２３０の正面から取り付け用孔２３１と第二固定孔２６１に順に挿入されることにより、第二固定板２６０をボックス２３上に固定する。前記第二固定板２６０には第三固定孔２６２が更に形成され、第一連結部品２５０がボックスモジュール２３０の後方から第一固定孔２２１と第三固定孔２６２に順に挿入されることにより、第一個定板２２０とボックスモジュール２３０を連結させる。
【００４５】
本実施例において、前記第一固定孔２２１の数量は２個であり、前記第三固定孔２６２の数量は２個である。
【００４６】
前記第一連結部品２５０と前記第二連結部品２７０は、いずれもボルト２５１とスペーサー２５５を含む。ボルト２５１とスペーサー２５５による固定方法は、使用が簡単であり、実用性がよいという利点を有している。
【００４７】
複数個の前記ボックス２３は一表面上にラティス状に配列される。前記第二固定板２６０には４個の第二固定孔２６１が形成されている。４個のボックス２３が隣接する位置において、４個の第二固定孔２６１はそれぞれ、該４個のボックス２３の集まっている４個の隅部に位置する取り付け用孔２３１と対応する。前記第二連結部品２７０が前記第二固定孔と取り付け用孔に挿入されることにより、４個の前記ボックス２３を固定することができる。ＬＥＤ表示装置２００の辺縁において、第二固定板２６０の第二固定孔２６１はそれぞれ、２個のボックス２３の取り付け用孔２３１と対応する。前記第二連結部品２７０が前記第二固定孔と取り付け用孔に挿入されることにより、２個の前記ボックス２３を接続して固定することができる。ＬＥＤ表示装置２００の４個の隅部において、第二固定板２６０の第二固定孔２６１は１個のみのボックス２３の取り付け用孔２３１と対応する。前記第二連結部品２７０が前記第二固定孔と取り付け用孔に挿入されることにより、１個の前記ボックス２３を固定することができる。
【００４８】
前記ＬＥＤ表示装置２００を組み立てるとき、第二連結部品２７０をボックスモジュール２３０の正面からねじ込ませて第二固定板２６０に結合させることにより、前記ボックス２３を固定する。第一連結部品２５０をボックスモジュール２３０の後方からねじ込ませて、第一固定板２２０、取り付け用立柱２１０、第二固定板２６０を締めることにより、前記ＬＥＤ表示装置２００を組み立てる。修理をするとき、ボックスモジュール２３０の正面から、所定のボックス２３を第二固定板２６０から取り外して修理することができ、他のボックス２３を取り外す必要がない。
【００４９】
前記ＬＥＤ表示装置２００は前面側修理作業が可能な構造を有しており、壁に近接しているか或いは壁に掛かれている場合、ＬＥＤ表示装置２００の前面側から所定の構成部分を取り外すことができ、前面側からの配線、調節および修理をすることができ、作業の困難性が低減し、修理の手間がかからないという利点を有している。また、修理をするとき、所定のボックス２３のみを取り外し、すべてのボックス２３を取り外す必要がないので、柔軟性が高く、修理の利便性がよく、コストが多くかからないという利点を有している。また、背面側と側面側のスペースを占用せず、修理用スペースを低減することができる。
【００５０】
以上、本考案の好適な実施例により本考案の技術的事項を具体的、詳細に説明してきたが、本考案の構成は上記の実施例に限定されるものではない。本技術分野の技術者は本考案の要旨を逸脱しない範囲内で設計の変換等を行うことができる。すなわち、本考案の保護範囲は後述する実用新案登録請求の範囲が定めたことを基準にする。
【図１】
0003212148.tif 000003
【図２】
0003212148.tif 000004
【図３】
0003212148.tif 000005
【図４】
0003212148.tif 000006
【図５】
0003212148.tif 000007
【図６】
0003212148.tif 000008
【図７】
0003212148.tif 000009
【図８】
0003212148.tif 000010
【図９】
0003212148.tif 000011
【図１０】
0003212148.tif 000012